(57)【要約】      （修正有）【課題】栽培容器の内部へ空気を十分含んだ培養液を供給するとともに、夏季に培養液用容器の内部の培養液の特に上方の水面近くの温度が高くなった場合であっても、栽培容器の内部へ比較的低温の培養液を供給する栽培装置を提供すること。【解決手段】植物ＰＴを収容する栽培容器１１０と、栽培容器を支持する容器支持体１２０と、培養液ＦＬを貯える培養液用容器１３０と、培養液を栽培容器の内部の植物ＰＴへ導く給液用導液材１４０とを備え、容器支持体が、栽培容器より小径の穴を有するとともに栽培容器と培養液用容器の内部の培養液との間に配設されて栽培容器と培養液用容器の内部の培養液との間に空気で満たされた空間部１２１を形成し、給液用導液材が、培養液用容器の内部の培養液から空間部を介して栽培容器の内部へ延設されている栽培装置１００。【選択図】図１
2018064461.tif 000002
【特許請求の範囲】
【請求項１】
植物を収容する栽培容器と、前記栽培容器を支持する容器支持体と、培養液を貯える培養液用容器と、培養液を栽培容器の内部の植物へ導く給液用導液材とを備えた栽培装置において、
前記容器支持体が、前記栽培容器より小径の穴を有するとともに栽培容器と培養液用容器の内部の培養液との間に配設されて栽培容器と培養液用容器の内部の培養液との間に空気で満たされた空間部を形成し、
前記給液用導液材が、前記培養液用容器の内部の培養液から空間部を介して栽培容器の内部へ延設されていることを特徴とする栽培装置。
【請求項２】
前記容器支持体が、前記容器支持体の上側大気と空間部と繋ぐ通気孔を備えていることを特徴とする請求項１に記載の栽培装置。
【請求項３】
前記容器支持体が、前記容器支持体の側部に形成された上側大気開放口と、上側大気開放口より下方に形成された下側大気開放口と、水平に延設されて空間部と上側大気開放口とを繋ぐ上側連通孔と、上側連通孔より下方で水平に延設されて空間部と下側大気開放口とを繋ぐ下側連通孔とを備えていることを特徴とする請求項１に記載の栽培装置。
【請求項４】
前記容器支持体の空間部が、栽培容器側に形成された穴部分と、前記穴部分と連設されて培養液用容器の内部の培養液側へ向かって徐々に径が大きくなっているテーパ部分とを有していることを特徴とする請求項１乃至請求項３のいずれか１つに記載の栽培装置。
【請求項５】
前記小径の穴が複数配設され、隣り合う穴部分が互いに離間して配設され、隣り合うテーパ部分が互いに連設されていることを特徴とする請求項４に記載の栽培装置。
【請求項６】
前記栽培容器の内部において、前記給液用導液材が、前記栽培容器の底部から側方に延びてから上方へ延びて培地の内部で水平方向に延びて側視コ字状に設けられていることを特徴とする請求項１乃至請求項５のいずれか１つに記載の栽培装置。
【請求項７】
前記給液用導液材の側視コ字状の導液材上部が、帯状に形成されて前記栽培容器の平面視で栽培容器の中央のみを横切って両側方を横切らない構成であることを特徴とする請求項６に記載の栽培装置。
【請求項８】
栽培容器と容器支持体と培養液用容器と給液用導液材とを備え、容器支持体が栽培容器より小径の穴を有するとともに栽培容器と培養液用容器の内部の培養液との間に配設されて栽培容器と培養液用容器の内部の培養液との間に空気で満たされた空間部を形成している栽培装置を用いた栽培方法であって、
前記給液用導液材が、前記培養液用容器の内部の培養液を吸い上げる培養液吸い上げ工程と、
前記空間部が、前記給液用導液材の内部の培養液を気化熱の原理で冷却する培養液冷却工程と、
前記給液用導液材が、前記培養液冷却工程で冷却された培養液を栽培容器の内部へ供給する培養液供給工程とを具備していることを特徴とする栽培方法。
【発明の詳細な説明】
【技術分野】
【０００１】
本発明は、植物を収容する栽培容器と、栽培容器を支持する容器支持体と、培養液を貯える培養液用容器と、培養液を栽培容器の内部の植物へ導く給液用導液材とを備えた栽培装置、および栽培装置を用いた栽培方法に関する。
【背景技術】
【０００２】
従来、栽培装置として、植物の収容する栽培容器と、栽培容器を上部で支持するとともに内部に水を貯める貯水槽と、水を栽培容器の内部の植物へ導く吸水紐とを備えた装置が知られている（例えば、特許文献１）。
【先行技術文献】
【特許文献】
【０００３】
【特許文献１】特開２０００−１６６３９３号公報（特に図６、図７参照）
【発明の概要】
【発明が解決しようとする課題】
【０００４】
しかしながら、上述した従来の装置は、吸水紐が貯水槽の水を単に吸い上げて栽培容器の内部の植物へ導く構造であったため、水に空気が十分含まれておらず、栽培容器の内部へ空気を十分含んだ水や培養液を供給することができないという問題や、夏季に培養液用容器の内部の水や培養液の特に上方の水面近くの温度が高くなった場合に、栽培容器の内部へ温度が高い温水や培養液が供給されて植物が傷むという問題があった。
【０００５】
そこで、本発明は、前述したような従来技術の問題を解決するものであって、すなわち、本発明の目的は、栽培容器の内部へ空気を十分含んだ培養液を供給するとともに、夏季に培養液用容器の内部の培養液の特に上方の水面近くの温度が高くなった場合であっても、栽培容器の内部へ比較的低温の培養液を供給する栽培装置、および栽培装置を用いた栽培方法を提供することである。
【課題を解決するための手段】
【０００６】
本請求項１に係る発明は、植物を収容する栽培容器と、前記栽培容器を支持する容器支持体と、培養液を貯える培養液用容器と、培養液を栽培容器の内部の植物へ導く給液用導液材とを備えた栽培装置において、前記容器支持体が、前記栽培容器より小径の穴を有するとともに栽培容器と培養液用容器の内部の培養液との間に配設されて栽培容器と培養液用容器の内部の培養液との間に空気で満たされた空間部を形成し、前記給液用導液材が、前記培養液用容器の内部の培養液から空間部を介して栽培容器の内部へ延設されていることにより、前述した課題を解決するものである。
【０００７】
本請求項２に係る発明は、請求項１に記載された栽培装置の構成に加えて、前記容器支持体が、前記容器支持体の上側大気と空間部と繋ぐ通気孔を備えていることにより、前述した課題をさらに解決するものである。
【０００８】
本請求項３に係る発明は、請求項１に記載された栽培装置の構成に加えて、前記容器支持体が、前記容器支持体の側部に形成された上側大気開放口と、上側大気開放口より下方に形成された下側大気開放口と、水平に延設されて空間部と上側大気開放口とを繋ぐ上側連通孔と、上側連通孔より下方で水平に延設されて空間部と下側大気開放口とを繋ぐ下側連通孔とを備えていることにより、前述した課題をさらに解決するものである。
【０００９】
本請求項４に係る発明は、請求項１乃至請求項３のいずれか１つに記載された栽培装置の構成に加えて、前記容器支持体の空間部が、栽培容器側に形成された穴部分と、前記穴部分と連設されて培養液用容器の内部の培養液側へ向かって徐々に径が大きくなっているテーパ部分とを有していることにより、前述した課題をさらに解決するものである。
【００１０】
本請求項５に係る発明は、請求項４に記載された栽培装置の構成に加えて、前記小径の穴が複数配設され、隣り合う穴部分が互いに離間して配設され、隣り合うテーパ部分が互いに連設されていることにより、前述した課題をさらに解決するものである。
【００１１】
本請求項６に係る発明は、請求項１乃至請求項５のいずれか１つに記載された栽培装置の構成に加えて、前記栽培容器の内部において、前記給液用導液材が、前記栽培容器の底部から側方に延びてから上方へ延びて培地の内部で水平方向に延びて側視コ字状に設けられていることにより、前述した課題をさらに解決するものである。
【００１２】
本請求項７に係る発明は、請求項６に記載された栽培装置の構成に加えて、前記給液用導液材の側視コ字状の導液材上部が、帯状に形成されて前記栽培容器の平面視で栽培容器の中央のみを横切って両側方を横切らない構成であることにより、前述した課題をさらに解決するものである。
【００１３】
本請求項８に係る発明は、栽培容器と容器支持体と培養液用容器と給液用導液材とを備え、容器支持体が栽培容器より小径の穴を有するとともに栽培容器と培養液用容器の内部の培養液との間に配設されて栽培容器と培養液用容器の内部の培養液との間に空気で満たされた空間部を形成している栽培装置を用いた栽培方法であって、前記給液用導液材が、前記培養液用容器の内部の培養液を吸い上げる培養液吸い上げ工程と、前記空間部が、前記給液用導液材の内部の培養液を気化熱の原理で冷却する培養液冷却工程と、前記給液用導液材が、前記培養液冷却工程で冷却された培養液を栽培容器の内部へ供給する培養液供給工程とを具備していることにより、前述した課題を解決するものである。
【発明の効果】
【００１４】
本発明の栽培装置は、植物を収容する栽培容器と、栽培容器を支持する容器支持体と、培養液を貯える培養液用容器と、給液用導液材とを備えていることにより、培養液を栽培容器の内部の植物へ導くことができるばかりでなく、以下のような特有の効果を奏することができる。
【００１５】
本請求項１に係る発明の栽培装置によれば、空間部において給液用導液材が空気と接触して給液用導液材の内部の培養液内に空気が吸収されるため、栽培容器の内部へ空気を十分含んだ培養液を供給することができる。
さらに、夏季に培養液用容器の内部の培養液の特に上方の水面近くの温度が高くなった場合であっても、空間部において気化熱の原理により給液用導液材から水分が気化して給液用導液材の内部の培養液が冷却されるため、栽培容器の内部へ比較的低温の培養液を供給することができる。
【００１６】
本請求項２に係る発明の栽培装置によれば、請求項１に係る発明が奏する効果に加えて、空間部の熱が通気孔を介して上側大気へ逃げるため、より効果的に空間部で培養液を冷却することができる。
【００１７】
本請求項３に係る発明の栽培装置によれば、請求項１に係る発明が奏する効果に加えて、空間部の内部において空気の温度差によって空気の対流が生じようとするが、空間部の上方の温かい空気が上側連通孔を介して大気へ逃げるとともに、空間部の上方よりも温度が低い大気の冷たい空気が下側連通孔を介して空間部の下方へ入り込み空間部の空気の温度の上昇が抑制されるため、より一層低い温度の培養液を栽培容器の内部へ供給することができる。
【００１８】
本請求項４に係る発明の栽培装置によれば、請求項１乃至請求項３のいずれか１つに係る発明が奏する効果に加えて、空間部の体積が大きくなってより効果的に給液用導液材の内部の培養液が冷却されるため、より低い温度の培養液を栽培容器の内部へ供給することができる。
【００１９】
本請求項５に係る発明の栽培装置によれば、請求項４に係る発明が奏する効果に加えて、空間部を形成するそれぞれのテーパ部分が連なって空気の温度が一律になるため、それぞれの栽培容器の内部へ供給される培養液の温度のバラツキを抑制して栽培条件を略均一にすることができる。
【００２０】
本請求項６に係る発明の栽培装置によれば、請求項１乃至請求項５のいずれか１つに係る発明が奏する効果に加えて、側視コ字状の導液材上部が種の近傍に位置して種に培養液が供給されるため、高い確率で発芽させることができる。
さらに、側視コ字状の導液材上部に種をまくと種が導液材上部に支持されて光線を受けやすくなるため、成長の早い丈夫な植物ができる。
【００２１】
本請求項７に係る発明の栽培装置によれば、請求項６に係る発明が奏する効果に加えて、根が育つときに給液用導液材の導液材上部が僅かに根に接するだけになるため、給液用導液材の導液材上部を設けた場合であっても根の発育の妨げになることを回避できる。
【００２２】
本請求項８に係る発明の栽培方法によれば、空間部において給液用導液材が空気と接触して給液用導液材の内部の培養液内に空気が吸収されるため、栽培容器の内部へ空気を含んだ培養液を供給することができる。
さらに、夏季に培養液用容器の内部の培養液の特に上方の水面近くの温度が高くなった場合であっても、空間部において気化熱の原理により給液用導液材から水分が気化して給液用導液材の内部の培養液が冷却されるため、栽培容器の内部へ比較的低温の培養液を供給することができる。
【図面の簡単な説明】
【００２３】
【図１】（Ａ）は本発明の第１実施例の栽培装置の概略を示す断面図、（Ｂ）は（Ａ）の符号１Ｂから視た概略図、（Ｃ）は（Ａ）の符号１Ｃから視た概略図。
【図２】本発明の第１実施例の栽培装置の空間部の作用を示す原理図。
【図３】本発明の第２実施例の栽培装置の概略を示す断面図。
【図４】本発明の第３実施例の栽培装置の概略を示す断面図。
【図５】本発明の第４実施例の栽培装置の概略を示す断面図。
【図６】本発明の第５実施例の栽培装置の概略を示す断面図。
【発明を実施するための形態】
【００２４】
本発明の栽培装置は、植物を収容する栽培容器と、栽培容器を支持する容器支持体と、培養液を貯える培養液用容器と、培養液を栽培容器の内部の植物へ導く給液用導液材とを備え、容器支持体が、栽培容器より小径の穴を有するとともに栽培容器と培養液用容器の内部の培養液との間に配設されて栽培容器と培養液用容器の内部の培養液との間に空気で満たされた空間部を形成し、給液用導液材が、培養液用容器の内部の培養液から空間部を介して栽培容器の内部へ延設されていることにより、栽培容器の内部へ空気を含んだ培養液を供給するとともに、栽培容器の内部へ比較的低温の培養液を供給するものであれば、その具体的な実施態様は、如何なるものであっても構わない。
【００２５】
また、本発明の栽培方法は、栽培容器と容器支持体と培養液用容器と給液用導液材とを備え、容器支持体が栽培容器より小径の穴を有するとともに栽培容器と培養液用容器の内部の培養液との間に配設されて栽培容器と培養液用容器の内部の培養液との間に空気で満たされた空間部を形成している栽培装置を用いた栽培方法であって、給液用導液材が、培養液用容器の内部の培養液を吸い上げる培養液吸い上げ工程と、空間部が、給液用導液材の内部の培養液を気化熱の原理で冷却する培養液冷却工程と、給液用導液材が、培養液冷却工程で冷却された培養液を栽培容器の内部へ供給する培養液供給工程とを具備していることにより、栽培容器の内部へ空気を含んだ培養液を供給するとともに、栽培容器の内部へ比較的低温の培養液を供給するものであれば、その具体的な実施態様は、如何なるものであっても構わない。
【００２６】
例えば、容器支持体は、培養液用容器の内部の培養液に浮かぶ構成でもよいし、培養液用容器の底部と接触する構成でもよい。
また、容器支持体が栽培容器を支持するものであれば、容器支持体の材料は、如何なるものであっても構わない。
【実施例１】
【００２７】
以下に、本発明の第１実施例である栽培装置１００について、図１（Ａ）乃至図２に基づいて説明する。
ここで、図１（Ａ）は、本発明の第１実施例の栽培装置１００の概略を示す断面図であり、図１（Ｂ）は、図１（Ａ）の符号１Ｂから視た概略図であり、図１（Ｃ）は、図１（Ａ）の符号１Ｃから視た概略図であり、図２は、本発明の第１実施例の栽培装置１００の空間部１２１の作用を示す原理図である。
本発明の第１実施例である栽培装置１００は、図１（Ａ）に示すように、栽培容器１１０と、容器支持体１２０と、培養液用容器１３０と、給液用導液材１４０とを備えている。
このうち、栽培容器１１０は、植物ＰＴを収容するものであり、栽培容器１１０の内部には、培地ＣＭが入れられ、この培地ＣＭに植物ＰＴが植えられている。
容器支持体１２０は、栽培容器１１０を支持するものであり、一例として発泡スチロールで形成され、培養液用容器１３０の内部の培養液ＦＬに浮かべられている。
【００２８】
培養液用容器１３０は、培養液ＦＬを貯えるものであり、所謂、水槽の役割を果たす。
本実施例の培養液用容器１３０は、一例として、培養液ＦＬを培養液用容器１３０の外部へ排出する排液口１３１と、培養液ＦＬを培養液用容器１３０の内部へ供給する給液口１３２とを有している。
給液用導液材１４０は、培養液ＦＬを栽培容器１１０の内部の植物ＰＴへ導くものである。
本実施例の給液用導液材１４０は、毛管現象で液体を吸い上げて移動させるフェルトや不織布である。
【００２９】
本実施例では、容器支持体１２０が、栽培容器１１０より小径の穴を有するとともに栽培容器１１０と培養液用容器１３０の内部の培養液ＦＬとの間に配設されている。
そして、容器支持体１２０が、栽培容器１１０と培養液用容器１３０の内部の培養液ＦＬとの間に空気で満たされた空間部１２１を形成している。
さらに、給液用導液材１４０が、培養液用容器１３０の内部の培養液ＦＬから空間部１２１を介して栽培容器１１０の内部へ延設されている。
【００３０】
これにより、図２に示すように、空間部１２１において給液用導液材１４０が空気と接触して給液用導液材１４０の内部の培養液内に空気が吸収される。
その結果、栽培容器１１０の内部へ空気を含んだ培養液ＦＬを供給することができる。
つまり、植物ＰＴの根圏に対して不足がちの空気が補われて、根圏の活性を促して丈夫な植物ＰＴにすることができる。
さらに、夏季に培養液用容器１３０の内部の培養液ＦＬの特に上方の水面近くの温度が高くなった場合であっても、空間部１２１において気化熱の原理により給液用導液材１４０から水分が気化して給液用導液材１４０の内部の培養液ＦＬが冷却される。
その結果、栽培容器１１０の内部へ比較的低温の培養液ＦＬを供給することができる。
【００３１】
さらに、本実施例では、容器支持体１２０が、容器支持体１２０の上側大気と空間部１２１と繋ぐ通気孔１２２を備えている。
これにより、空間部１２１の熱が通気孔１２２を介して上側大気へ逃げる。
その結果、より効果的に空間部１２１で培養液ＦＬを冷却することができる。
【００３２】
また、本実施例の図１（Ａ）の３つの栽培容器１１０のうち、中央および右側では、栽培容器１１０の内部において、給液用導液材１４０が、栽培容器１１０の底部から側方に延びてから上方へ延びて培地ＣＭの内部で水平方向に延びて側視コ字状に設けられている。
具体的には、栽培容器１１０の内部の底に設けられた導液材底部１４１ａ、１４１ｂと、導液材底部１４１ａ、１４１ｂから上方へ延設された導液材上方延設部１４２と、導液材上方延設部１４２の上端から水平方向に延設された導液材上部１４３ａ、１４３ｂとを有している。
【００３３】
これにより、側視コ字状の導液材上部１４３ａ、１４３ｂが種の近傍に位置して種に培養液ＦＬが供給される。
その結果、高い確率で発芽させることができる。
さらに、側視コ字状の導液材上部１４３ａ、１４３ｂに種をまくと種が導液材上部１４３ａ、１４３ｂに支持されて光線を受けやすくなる。
その結果、成長の早い丈夫な植物ＰＴができる。
【００３４】
また、本実施例の図１（Ａ）の３つの栽培容器１１０のうち、中央では、図１（Ｂ）に示すように、給液用導液材１４０の側視コ字状の導液材上部１４３ａが、栽培容器１１０の平面視で栽培容器１１０の内部の全範囲に設けられている。
また、３つの栽培容器１１０のうち、右側では、図１（Ｃ）に示すように、給液用導液材１４０の側視コ字状の導液材上部１４３ｂが、帯状に形成されて栽培容器１１０の平面視で栽培容器１１０の中央のみを横切って両側方を横切らない構成である。
これにより、根が育つときに給液用導液材１４０の導液材上部１４３ｂが僅かに根に接するだけになる。
その結果、給液用導液材１４０の導液材上部１４３ｂを設けた場合であっても根の発育の妨げになることを回避できる。
【００３５】
なお、本実施例では、容器支持体１２０が培養液用容器１３０の内部の培養液ＦＬに浮いている構成であるので、培養液ＦＬの量が変化した場合であっても空間部１２１の体積は変化しない。
つまり、培養液ＦＬの冷却効果を保ちつつ、培養液ＦＬの水位ＷＬの変化に対応することができる。
【００３６】
また、栽培方法としては、本実施例の栽培装置１００の構成を前提にして、給液用導液材１４０が、培養液用容器１３０の内部の培養液ＦＬを吸い上げる（培養液吸い上げ工程）。
次に、空間部１２１が、給液用導液材１４０の内部の培養液ＦＬを気化熱の原理で冷却する（培養液冷却工程）。
そして、給液用導液材１４０が、培養液冷却工程で冷却された培養液ＦＬを栽培容器１１０の内部へ供給する（培養液供給工程）。
【００３７】
このようにして得られた本発明の第１実施例である栽培装置１００は、植物ＰＴを収容する栽培容器１１０と、栽培容器１１０を支持する容器支持体１２０と、培養液ＦＬを貯える培養液用容器１３０と、培養液ＦＬを栽培容器１１０の内部の植物ＰＴへ導く給液用導液材１４０とを備え、容器支持体１２０が、栽培容器１１０より小径の穴を有するとともに栽培容器１１０と培養液用容器１３０の内部の培養液ＦＬとの間に配設されて栽培容器１１０と培養液用容器１３０の内部の培養液ＦＬとの間に空気で満たされた空間部１２１を形成し、給液用導液材１４０が、培養液用容器１３０の内部の培養液ＦＬから空間部１２１を介して栽培容器１１０の内部へ延設されていることにより、栽培容器１１０の内部へ空気を含んだ培養液ＦＬを供給するとともに、夏季に培養液用容器１３０の内部の培養液ＦＬの特に上方の水面近くの温度が高くなった場合であっても、栽培容器１１０の内部へ比較的低温の培養液ＦＬを供給することができる。
【００３８】
さらに、容器支持体１２０が、容器支持体１２０の上側大気と空間部１２１と繋ぐ通気孔１２２を備えていることにより、より効果的に空間部１２１で培養液ＦＬを冷却することができる。
また、栽培容器１１０の内部において、給液用導液材１４０が、栽培容器１１０の底部から側方に延びてから上方へ延びて培地ＣＭの内部で水平方向に延びて側視コ字状に設けられていることにより、高い確率で発芽させることができるとともに、成長の早い丈夫な植物ＰＴができる。
さらに、給液用導液材１４０の側視コ字状の導液材上部１４３ｂが、帯状に形成されて栽培容器１１０の平面視で栽培容器１１０の中央のみを横切って両側方を横切らない構成であることにより、給液用導液材１４０の導液材上部１４３ｂを設けた場合であっても根の発育の妨げになることを回避できる。
【００３９】
また、本発明の第１実施例である栽培方法は、栽培容器１１０と容器支持体１２０と培養液用容器１３０と給液用導液材１４０とを備え、容器支持体１２０が栽培容器１１０より小径の穴を有するとともに栽培容器１１０と培養液用容器１３０の内部の培養液ＦＬとの間に配設されて栽培容器１１０と培養液用容器１３０の内部の培養液ＦＬとの間に空気で満たされた空間部１２１を形成している栽培装置１００を用いた栽培方法であって、給液用導液材１４０が、培養液用容器１３０の内部の培養液ＦＬを吸い上げる培養液吸い上げ工程と、空間部１２１が、給液用導液材１４０の内部の培養液ＦＬを気化熱の原理で冷却する培養液冷却工程と、給液用導液材１４０が、培養液冷却工程で冷却された培養液ＦＬを栽培容器１１０の内部へ供給する培養液供給工程とを具備していることにより、栽培容器１１０の内部へ空気を含んだ培養液ＦＬを供給するとともに、夏季に培養液用容器１３０の内部の培養液ＦＬの特に上方の水面近くの温度が高くなった場合であっても、栽培容器１１０の内部へ比較的低温の培養液ＦＬを供給することができるなど、その効果は甚大である。
【実施例２】
【００４０】
続いて、本発明の第２実施例である栽培装置２００について、図３に基づいて説明する。
ここで、図３は、本発明の第２実施例の栽培装置２００の概略を示す断面図である。
第２実施例の栽培装置２００は、第１実施例の栽培装置１００の容器支持体１２０の穴の断面形状を変更したものであり、多くの要素について第１実施例の栽培装置１００と共通するので、共通する事項については詳しい説明を省略し、下２桁が共通する２００番台の符号を付すのみとする。
【００４１】
本発明の第２実施例である栽培装置２００は、図３に示すように、栽培容器２１０と、容器支持体２２０と、培養液用容器２３０と、給液用導液材２４０とを備えている。
本実施例では、容器支持体２２０の空間部２２１が、栽培容器側に形成された穴部分２２１ａと、穴部分２２１ａと連設されて培養液用容器２３０の内部の培養液側へ向かって徐々に径が大きくなっているテーパ部分２２１ｂとを有している。
言い換えると、穴部分２２１ａは、一定の径で形成され、テーパ部分２２１ｂは培養液側へいくに従って徐々に径が大きくなるように広がっている。
【００４２】
これにより、空間部２２１の体積が大きくなってより効果的に給液用導液材２４０の内部の培養液ＦＬが冷却される。
その結果、より低い温度の培養液ＦＬを栽培容器２１０の内部へ供給することができる。
なお、本実施例の構成を上述した第１実施例の構成と組み合わせてもよいのは言うまでもない。
【００４３】
このようにして得られた本発明の第２実施例である栽培装置２００は、容器支持体２２０の空間部２２１が、栽培容器側に形成された穴部分２２１ａと、穴部分２２１ａと連設されて培養液用容器２３０の内部の培養液側へ向かって徐々に径が大きくなっているテーパ部分２２１ｂとを有していることにより、より低い温度の培養液ＦＬを栽培容器２１０の内部へ供給することができるなど、その効果は甚大である。
【実施例３】
【００４４】
続いて、本発明の第３実施例である栽培装置３００について、図４に基づいて説明する。
ここで、図４は、本発明の第３実施例の栽培装置３００の概略を示す断面図である。
第３実施例の栽培装置３００は、第２実施例の栽培装置２００の容器支持体２２０の穴の断面形状を変更したものであり、多くの要素について第１実施例の栽培装置１００および第２実施例の栽培装置２００と共通するので、共通する事項については詳しい説明を省略し、下２桁が共通する３００番台の符号を付すのみとする。
【００４５】
本発明の第３実施例である栽培装置３００では、図４に示すように、栽培容器３１０より小径の穴が容器支持体３２０に複数配設されている。
そして、隣り合う穴部分３２１ａが互いに離間して配設され、隣り合うテーパ部分３２１ｂが互いに連設されている。
【００４６】
これにより、空間部３２１を形成するそれぞれのテーパ部分３２１ｂが連なって空気の温度が一律になる。
その結果、それぞれの栽培容器３１０の内部へ供給される培養液ＦＬの温度のバラツキを抑制して栽培条件を略均一にすることができる。
なお、本実施例の構成を上述した第１実施例または第２実施例の構成と組み合わせてもよいのは言うまでもない。
【００４７】
このようにして得られた本発明の第３実施例である栽培装置３００は、栽培容器３１０より小径の穴が容器支持体３２０に複数配設され、隣り合う穴部分３２１ａが互いに離間して配設され、隣り合うテーパ部分３２１ｂが互いに連設されていることにより、それぞれの栽培容器３１０の内部へ供給される培養液ＦＬの温度のバラツキを抑制して栽培条件を略均一にすることができるなど、その効果は甚大である。
【実施例４】
【００４８】
続いて、本発明の第４実施例である栽培装置４００について、図５に基づいて説明する。
ここで、図５は、本発明の第４実施例の栽培装置４００の概略を示す断面図である。
第４実施例の栽培装置４００は、第１実施例の栽培装置１００の容器支持体１２０に上側大気開放口、下側大気開放口、上側連通孔および下側連通孔を追加したものであり、多くの要素について第１実施例の栽培装置１００と共通するので、共通する事項については詳しい説明を省略し、下２桁が共通する４００番台の符号を付すのみとする。
【００４９】
本発明の第４実施例である栽培装置４００では、図５に示すように、容器支持体４２０が、上側大気開放口４２２と、下側大気開放口４２３と、上側連通孔４２１ｃと、下側連通孔４２１ｄとを備えている。
このうち、上側大気開放口４２２は、容器支持体４２０の側部に形成されている。
上側大気開放口４２２と同様に、下側大気開放口４２３は、上側大気開放口４２２より下方に形成されている。
また、上側連通孔４２１ｃは、水平に延設されて空間部４２１と上側大気開放口４２２とを繋いでいる。
上側連通孔４２１ｃと同様に、下側連通孔４２１ｄは、上側連通孔４２１ｃより下方で水平に延設されて空間部４２１と下側大気開放口４２３とを繋いでいる。
【００５０】
これにより、空間部４２１の内部において空気の温度差によって空気の対流が生じようとするが、空間部４２１の上方の温かい空気が上側連通孔４２１ｃを介して大気へ逃げるとともに、空間部４２１の上方よりも温度が低い大気の冷たい空気が下側連通孔４２１ｄを介して空間部４２１の下方へ入り込み空間部４２１の空気の温度の上昇が抑制される。
その結果、より一層低い温度の培養液ＦＬを栽培容器４１０の内部へ供給することができる。
なお、本実施例の構成を上述した第１実施例乃至第３実施例の構成と組み合わせてもよいのは言うまでもない。
【００５１】
このようにして得られた本発明の第４実施例である栽培装置４００は、容器支持体４２０が、容器支持体４２０の側部に形成された上側大気開放口４２２と、上側大気開放口４２２より下方に形成された下側大気開放口４２３と、水平に延設されて空間部４２１と上側大気開放口４２２とを繋ぐ上側連通孔４２１ｃと、上側連通孔４２１ｃより下方で水平に延設されて空間部４２１と下側大気開放口４２３とを繋ぐ下側連通孔４２１ｄとを備えていることにより、より一層低い温度の培養液ＦＬを栽培容器４１０の内部へ供給することができるなど、その効果は甚大である。
【実施例５】
【００５２】
続いて、本発明の第５実施例である栽培装置５００について、図６に基づいて説明する。
ここで、図６は、本発明の第５実施例の栽培装置５００の概略を示す断面図である。
第５実施例の栽培装置５００は、第１実施例の栽培装置１００の容器支持体１２０に脚部を追加したものであり、多くの要素について第１実施例の栽培装置１００と共通するので、共通する事項については詳しい説明を省略し、下２桁が共通する５００番台の符号を付すのみとする。
【００５３】
本発明の第５実施例である栽培装置５００では、図６に示すように、容器支持体５２０が、脚部５２４を有している。
脚部５２４は、容器支持体５２０の下方に設けられ、下方へ延びて培養液用容器５３０の底部と接触している。
つまり、容器支持体５２０は、培養液用容器５３０の内部の培養液ＦＬに浮いている構成ではなく、培養液用容器５３０の底部に立って栽培容器５１０を支持する構成である。
培養液ＦＬの水位ＷＬを一定にする制御をすることにより、容器支持体５２０の位置・姿勢を一定にして栽培容器５１０の位置・姿勢も一定にしてもよい。
なお、本実施例の構成を上述した第１実施例乃至第４実施例の構成と組み合わせてもよいのは言うまでもない。
【符号の説明】
【００５４】
１００、  ２００、  ３００、  ４００、  ５００  ・・・  栽培装置
１１０、  ２１０、  ３１０、  ４１０、  ５１０  ・・・  栽培容器
１２０、  ２２０、  ３２０、  ４２０、  ５２０  ・・・  容器支持体
１２１、  ２２１、  ３２１、  ４２１、  ５２１  ・・・  空間部（穴）
２２１ａ、３２１ａ                    ・・・  穴部分
２２１ｂ、３２１ｂ                    ・・・  テーパ部分
１２２、  ２２２、  ３２２、            ５２２  ・・・  通気孔
４２１ｃ          ・・・  上側連通孔
４２１ｄ          ・・・  下側連通孔
４２２            ・・・  上側大気開放口
４２３            ・・・  下側大気開放口
５２４  ・・・  脚部
１３０、  ２３０、  ３３０、  ４３０、  ５３０  ・・・  培養液用容器
１３１、  ２３１、  ３３１、  ４３１、  ５３１  ・・・  排液口
１３２、  ２３２、  ３３２、  ４３２、  ５３２  ・・・  給液口
１４０、  ２４０、  ３４０、  ４４０、  ５４０  ・・・  給液用導液材
１４１ａ、２４１ａ、３４１ａ、４４１ａ、５４１ａ・・・  導液材底部
１４１ｂ、２４１ｂ、３４１ｂ、４４１ｂ、５４１ｂ・・・  導液材底部
１４２、  ２４２、  ３４２、  ４４２、  ５４２  ・・・  導液材上方延設部
１４３ａ、２４３ａ、３４３ａ、４４３ａ、５４３ａ・・・  導液材上部
１４３ｂ、２４３ｂ、３４３ｂ、４４３ｂ、５４３ｂ・・・  導液材上部
ＣＭ  ・・・  培地
ＰＴ  ・・・  植物
ＦＬ  ・・・  培養液
ＷＬ  ・・・  水位
【図１】
2018064461.tif 000003
【図２】
2018064461.tif 000004
【図３】
2018064461.tif 000005
【図４】
2018064461.tif 000006
【図５】
2018064461.tif 000007
【図６】
2018064461.tif 000008